(57)【要約】      （修正有）【課題】ハンガーの構造を提供する。【解決手段】主に一つのハングフック１、一組の接続ブロック２、二本のハンガー棒３、４及び一つのスイング部品５で構成する。一つのハングフックに一つの穴を設ける。一つの接続ブロックはハングフックを通し、且つそこで上下に変位することができる。接続ブロックに二つの枢接穴２２、２３を設けて二本のハンガー棒を通すことで、二本のハンガー棒はそれぞれハングフックの両サイドに位置する。スイング部品は二つのスイングブロック５１、５２を具有し、それぞれ二本のハンガー棒に枢接する。二つのスイングブロックの別端に一つの軸棒５３を通し、且つハングフックの穴と組み合わせることで、二本のハンガー棒は二つのスイングブロックを介して連結することができる。ハングフックを中心に外向きに開く及び内側に収束する動作を行うことができ、素早く衣服を乾かす及び便利に収納できる。【選択図】図１
0003198974.tif 000002
【実用新案登録請求の範囲】
【請求項１】
ハングフック、接続ブロック、ハンガー棒、及びスイング部品を含み、
該ハングフックに少なくとも一つの穴を設け、
該接続ブロックは該ハングフックを通し、且つそこで上下に変位することができ、該接続ブロックに二つの枢接穴を設け、
二本の該ハンガー棒は幾何形状の棒体を呈し、該接続ブロックの二つの枢接穴に通し、且つそれぞれ該ハングフックの両サイドに位置し、
該スイング部品は二つのスイングブロックを具有し、それぞれ二本の該ハンガー棒に枢接し、該二つのスイングブロックの別端に一つの軸棒を通し、且つ該ハングフックの穴と組み合わせることで、二本の該ハンガー棒は該二つのスイングブロックを介して連結することができ、該ハングフックを中心に外向きに開く及び内側に収束する動作を行うことが可能であることを特徴とするハンガー。
【請求項２】
該接続ブロックはコの字型プレートを呈し、横板を具有し、該横板の中心に丸い穴を設け、該丸い穴に該ハングフックを通し、該横板の下方の二枚のサイド板に該二つの枢接穴を貫通して設置することを特徴とする請求項１記載のハンガー。
【請求項３】
該ハングフックの下端の一部分にストレート部を設け、且つ末端部に一つの平面を形成して穴を設け、該接続ブロックは該ストレート部を通し、その間で上下に移動できることを特徴とする請求項１又は請求項２記載のハンガー。
【請求項４】
該スイング部品の該二つのスイングフロックはいずれもＵ字型のプレートを呈し、内部は中空であり、各該スイングブロックの一端に一つの穴を設け、そこに各ハンガー棒を通し、各該スイングブロックの別端に該軸棒を通すための組立穴を設け、うち一つのスイングブロックのサイズをもう一つのスイングブロックの中に嵌め入ることができるように小さくすることを特徴とする請求項１記載のハンガー。
【請求項５】
該スイング部品の該二つのスイングブロックを通すために、二本の該ハンガー棒の上にそれぞれ一本の横棒を加えたことを特徴とする請求項１又は請求項４記載のハンガー。
【考案の詳細な説明】
【技術分野】
【０００１】
本考案はハンガーに関し、特に改良式ハンガーを指し、二本のハンガー棒を開くことができ、素早く衣服を乾かすことができ、及び収束して収納に便利な二つの効果を持つハンガーの構造に関する。
【背景技術】
【０００２】
一般の伝統式のハンガーの上端に一つのフック部を具有し、吊るす用途を提供する。下端に一概に三角形の棒を呈し、衣服の中に入れて、衣服を吊るす。仮に一般の衣服を吊るすのであれば、このような構造のハンガーは比較的スペースを占領せず、且つ収納に便利な効果を持つ。しかし、仮に濡れた服を干す場合、濡れた服の中にある棒が僅か一つのフラット、垂直面の形態であれば、有効的に空気を循環させることができず、干す時間を比較的長くしなければ、衣服内の水気を蒸発させて乾かすことができない。それにより市場には一つの立体型のハンガーが案出された。枠組み型の棒を呈し、衣服を広げることで、適切に空気が循環できるスペースを作り出し、衣服を干す時間を短縮するが、そのハンガーの体積は大きく、収納するのにスペースを取る欠点があることを鑑みて、更なる改善が必要であった。
【先行技術文献】
【特許文献】
【０００３】
【特許文献１】特開２００５−２７９８８号公報
【考案の概要】
【考案が解決しようとする課題】
【０００４】
前記した公知構造の欠点を解決するため、本考案は相対的に外向きに開いて、内側に収束して収納できる二本のハンガー棒を具有し、素早く衣服を乾かす及び収納後にスペースを占領せずに便利に収納できるハンガーの構造を提供することを主な課題とする。
【課題を解決するための手段】
【０００５】
上述の目的を解決するために、本考案はハンガーの構造を提供するものである。それに含まれるのはハングフック、一組の接続ブロック、二本のハンガー棒及びスイング部品である。
【０００６】
該ハングフックに少なくとも一つの穴を設ける。
【０００７】
該接続ブロックは該ハングフックを通し、且つそこで上下に変位することができる。該接続ブロックに二つの枢接穴を設ける。
【０００８】
該二本のハンガー棒は幾何形状の棒体を呈し、該接続ブロックの二つの枢接穴に通し、且つそれぞれ該ハングフックの両サイドに位置する。
【０００９】
該スイング部品は二つのスイングブロックを具有し、それぞれ該二本のハンガー棒に枢接する。該二つのスイングブロックの別端に一つの軸棒を通し、且つ該ハングフックの穴と組み合わせることで、二本のハンガー棒は該二つのスイングブロックを介して連結することができる。該ハングフックを中心に外向きに開く及び内側に収束する動作を行うことができ、素早く衣服を乾かす及び便利に収納できる効果を提供する。
【００１０】
該ハンガーの該接続ブロックはコの字型プレートを呈し、横板を具有し、この横板に丸い穴を設け、そこにハングフックを通す。該横板の下方の二枚のサイド板に二つの枢接穴を貫通して設置する。
【００１１】
該ハンガーの該ハングフックの下端の一部分にストレート部を設け、且つ末端部に一つの平面を形成して穴を設ける。該接続ブロックは該ストレート部を通る。
【００１２】
該ハンガーのスイング部品の該二つのスイングフロックはいずれもＵ字型のプレートを呈し、内部は中空である。各該スイングブロックの一端に穴を設け、そこに各ハンガー棒を通す。各該スイングブロックの別端に該軸棒を通すための組立穴を設ける。うち一つのスイングブロックのサイズをやや小さくすることで、もう一つのスイングブロックの中に嵌め入ることができる。
【００１３】
該ハンガーの該二本のハンガー棒の上にそれぞれ一本の横棒を加えることが好ましい。これは、該スイング部品の二つのスイングブロックを通すためである。
【考案の効果】
【００１４】
本考案の構造により、該ハンガーはハングフックを中心に外向きに開く及び内側に収束する動作を行うことができ、素早く衣服を乾かす及び便利に収納できる効果を提供する。
【図面の簡単な説明】
【００１５】
【図１】本考案のハンガーの構造の立体組立外観略図である。
【図２】本考案のハンガーの構造の立体分解外観略図である。
【図３】本考案のハンガーの構造を開いた状態の立体外観略図である。
【図４】本考案のハンガーの構造を開いた及び収束した状態の平面略図である。
【図５】本考案のハンガーの構造を開いた及び収束した状態の平面略図である。
【図６】本考案のハンガーの構造を開いて衣服を干す実施略図である。
【考案を実施するための形態】
【００１６】
以下、本考案の構造と特徴および効果を、最良実施例と図面を参照しながら詳細に説明する。
【実施例】
【００１７】
本考案のハンガーの構造は、図１及び図２に示すように、それに含まれるのは一つのハングフック１、一組の接続ブロック２、二本のハンガー棒３、４及び一つのスイング部品５である。
【００１８】
該ハングフック１は予め定めた長さの一つの棒体であり、上端に一つのフック部１１を設けて吊るす用途を提供し、下端の一部分にストレート部１２を設け、該末端部に一つの平面を形成して穴１３を設ける。
【００１９】
該接続ブロック２は一つのコの字型プレートを呈し、横板を具有し、それの中心に一つの丸い穴２１を設け、そこにハングフック１のストレート部１２を通す。該横板の両サイドに対照する二枚のサイド板に二つの枢接穴２２、２３を貫通して設置し、それぞれ該二本のハンガー棒３、４を通すために使う。
【００２０】
該二本のハンガー棒３、４はいずれも幾何形状の棒体を呈し、該端部３１、４１はそれぞれ該接続ブロック２の二つの枢接穴２２、２３に通すことで、二本のハンガー棒３、４をそれぞれ該ハングフック１の両サイドに設置する。また、該二本のハンガー棒３、４の上にそれぞれ一本の横棒３２、４２を設ける。
【００２１】
該スイング部品５は二つのスイングブロック５１、５２を具有し、該二つのスイングフロック５１、５２はいずれもＵ字型のプレートを呈し、内部は中空である。各両端にそれぞれ一つの穴５１１、５２１と一つの組立穴５１２、５２２を設け、該二つのスイングブロック５１、５２の穴５１１、５２１に、該二つのハンガー３、４の横棒３２、４２をそれぞれに通す。該スイングブロック５２のサイズは比較的小さく、もう一つのスイングブロック５１の中に嵌め入ることができることで、該二つのスイングブロック５１、５２の二つの組立穴５１２、５２２が互いに接触して合わせることができ、そこに一つの軸棒５３を通し、間にハングフック１の穴１３を通せば組立を完成できる。
【００２２】
上記の構成によって組み立てる本考案の改良式ハンガーは、下記の二つの使用方法がある。
【００２３】
(一)一般の使用状態においては、図１及び図４に示すように、この時のスイング部品５の二つのスイングブロック５１、５２は該軸棒５３を中心に、該ハングフック１に向けて合わせて収束する形態である。該二本のハンガー棒３、４は該二つのスイングブロック５１、５２によって接続するため、相対的に内側に収束して平行状を呈することで、該二本のハンガー棒３、４の間の距離が最短距離にまで縮まり、一般の衣服を掛ける、或いはたんすの中に入れることができる。ハンガー全体の体積は大きくなく、占領するスペースが比較的小さいために収納しやすい。また、使用しない時には、本考案の改良式ハンガーを複数個重ねることができるため、スペースを取らない。
【００２４】
(二)図３及び図５に示すのは、濡れた衣服を干す際の使用状態である。該ハングフック１を上に引っ張ると、該末端は該軸棒５３を介して接続する二つのスイングブロック５１、５２が、該軸棒５３を通した一端と連動して上に上げられる。それにより二つのスイングブロック５１、５２に通した二本のハンガー棒３、４のそれぞれの横棒３２、４２は相対的に外向きに振られる。つまり、二本のハンガー棒３、４は二つの副棒３２、４２の部分で連動的に外向きに広げられる。この時二本のハンガー棒３、４の下方部位は広げられるため、本考案の改良式ハンガーで濡れた服を吊るす際に、外向きに広げられた二本のハンガー棒３、４により、衣服内に空気が循環するスペースを提供する。図６に示すように、衣服内の水気は比較的蒸発しやすくなり、衣服を干すのに必要な時間を短縮でき、衣服を素早く乾かす効果がある。
【００２５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２６】
１  ハングフック
１１  フック部
１２  ストレート部
１３  穴  
２  接続ブロック
２１  丸い穴
２２、２３  枢接穴
３、４  ハンガー棒
３１、４１  端部
３２、４２  横棒
５  スイング部品
５１、５２  スイングブロック
５１１、５２１  穴
５１２、５２２  組立穴
５３  軸棒
【図１】
0003198974.tif 000003
【図２】
0003198974.tif 000004
【図３】
0003198974.tif 000005
【図４】
0003198974.tif 000006
【図５】
0003198974.tif 000007
【図６】
0003198974.tif 000008